(57)【特許請求の範囲】
【請求項１】
低温タンクへ供給源より所定高さの段差部を経て低沸点液を供給し得る二系統の流路を備え且つ低沸点液を供給する開閉弁の開閉により前記段差部を介して低沸点液を二系統の流路の間で循環させるよう構成した受入ラインと、前記低温タンクから消費先に低沸点液を気化ガスとして送出する送出ラインとを備えた低温タンク設備であって、前記受入ラインの二系統の流路のうち一方の流路に、前記送出ラインの気化ガスを前記段差部の下方より導入するガス導入ラインを備えたことを特徴とする低温タンク設備。
【請求項２】
ガス導入ラインを、受入ラインの中で最も高低差のある段差部の下端に接続した請求項１記載の低温タンク設備。
【発明の詳細な説明】
【０００１】
【発明の属する技術分野】
本発明は、低沸点液を低温タンクへ供給しない時に受入ライン内の低沸点液の突沸を防止する低温タンク設備に関するものである。
【０００２】
【従来の技術】
一般に低温タンク設備は、図３に示す如く、低温タンク１に対して供給源のタンカー２より液化天然ガス（ＬＮＧ）等の低沸点液を供給し得るよう、タンカー２に接続するローディングアーム３と、ローディングアーム３より低温タンク１まで延在する受入ライン４とを備えている。
【０００３】
受入ライン４は、ローディングアーム３から所定位置まで供給用の開閉弁５を介して延在する一系統配管６と、一系統配管６から低温タンク１側の所定位置まで二系統の流路に分岐されて略平行に延在する二系統配管７と、二系統配管７から低温タンク１の屋根１ａまで供給用の開閉弁８を介して延在する一系統配管９とから構成されている。
【０００４】
二系統配管７は、全長にわたって桟橋等の種々の構造物に沿う様々な高低差の段差部１０を備えており、二系統配管７の低温タンク１側には、夫々供給用の開閉弁１１を設けている。
【０００５】
又、二系統配管７から低温タンク１までの間の一系統配管９は、供給用の開閉弁８の上流側より循環用の開閉弁１２を介して低温タンク１の胴部１ｂに接続する下方ライン１３を設けている。
【０００６】
一方、低温タンク１には、送出ポンプ１４を備えた送出ライン１５を接続し、送出ライン１５における送出ポンプ１４の下流側には、低沸点液を加熱して気化する気化器１６を設け、低沸点液を低温タンク１より消費先へ気化ガスとして送出するようになっている。
【０００７】
又、低温タンク１には、二系統配管７のうち一方の配管７ａへ低沸点液を導入するよう、循環ポンプ１７を備えた循環ライン１８を接続している。
【０００８】
低温タンク１へ低沸点液を供給する場合には、供給源のタンカー２にローディングアーム３を接続して受入ライン４の全ての供給用の開閉弁５，１１，８を開き、タンカー２より、ローディングアーム３、ローディングアーム３と二系統配管７の間の一系統配管６、二系統配管７、二系統配管７と低温タンク１の間における一系統配管９を順に介して低温タンク１へ低沸点液を供給する。
【０００９】
一方、低温タンク１へ低沸点液を供給しない場合には、受入ライン４を常に低沸点液を供給可能な温度にするよう受入ライン４に低沸点液を常時満たしており、更に、受入ライン４内の低沸点液が熱流体上の不安定現象（ガイザリング現象）により突沸しないよう、二系統配管７のうち一方の配管７ａの供給用の開閉弁１１ａと、ローディングアーム３と二系統配管７の間における一系統配管６の供給用の開閉弁５とを夫々閉じると共に、二系統配管７のうち他方の配管７ｂの供給用の開閉弁１１ｂと、下方ライン１３の循環用の開閉弁１２とを夫々開き、次いで循環ライン１８の循環ポンプ１７を駆動することによって、低沸点液を、循環ライン１８から、二系統配管７の一方の配管７ａ、二系統配管７の他方の配管７ｂ、下方ライン１３、低温タンク１、循環ライン１８と順に循環させている。
【００１０】
【発明が解決しようとする課題】
しかしながら、従来の低温タンク設備は、受入ライン４の低沸点液を循環させる動力源として循環ポンプ１７を用いるため、設備全体の建設費が増加し、更に、低沸点液を循環させる際には常に循環ポンプ１７を駆動する必要があるため、維持費が増大するという問題があった。
【００１１】
本発明は、循環ポンプを用いることなく受入ラインに低沸点液を循環させる低温タンク設備を提供することを目的としている。
【００１２】
【課題を解決するための手段】
本発明の低温タンク設備は、低温タンクへ供給源より所定高さの段差部を経て低沸点液を供給し得る二系統の流路を備え且つ低沸点液を供給する開閉弁の開閉により前記段差部を介して低沸点液を二系統の流路の間で循環させるよう構成した受入ラインと、前記低温タンクから消費先に低沸点液を気化ガスとして送出する送出ラインとを備えた低温タンク設備であって、前記受入ラインの二系統の流路のうち一方の流路に、前記送出ラインの気化ガスを前記段差部の下方より導入するガス導入ラインを備えるものである。
【００１３】
又、本発明の低温タンク設備は、ガス導入ラインを受入ラインの中で最も高低差のある段差部の下端に接続してもよい。
【００１４】
本発明の低温タンク設備において低温タンクへ低沸点液を供給しない場合には、受入ラインの開閉弁を開閉して二系統の流路の間で低沸点液を互いに流通可能な状態にし、次いでガス導入ラインから受入ラインの段差部に下方より気化ガスを導入して段差部内で気化ガスを上昇させ、気化ガスのガスリフト作用により二系統の流路の間で低沸点液を互いに循環させ、熱流体上の不安定現象（ガイザリング現象）による受入ライン内の低沸点液の突沸を防止している。
【００１５】
このように、ガス導入ラインより導入する気化ガスを動力源として二系統の受入ライン内の低沸点液を循環させるので、動力源の循環ポンプを設ける必要がなく設備全体の建設費、維持費を低減することができる。
【００１６】
ガス導入ラインを受入ラインの中で最も高低差のある段差部の下端に接続すると、導入した気化ガスによるガスリフト作用を一層高めるので、低沸点液を二系統の受入ライン内で確実に循環させることができる。
【００１７】
【発明の実施の形態】
以下、本発明の実施の形態を、図示例と共に説明する。
【００１８】
図１、図２は本発明の低温タンク設備の実施の形態例であって、図中、図３と同一の符号を付した部分は同一物を表わしている。
【００１９】
受入ライン４における二系統配管７のうち一方の配管７ａで最も高低差のある段差部１０の下端には、送出ライン１５における気化器１６の下流側から分岐して延在するガス導入ライン２０を接続しており、配管７ａにおける段差部１０の下流側で所定高さの位置には、受入ライン４内に生じるガスを排出するよう排出調整弁２１を備えた排出ライン２２を設け、排出ライン２２には低沸点液の液面の高さより排出調整弁２１を制御するレベルコントローラ２３を備えている。ここで、ガス導入ライン２０を備える段差部１０の高低差は５ｍ〜１０ｍ、好ましくは７ｍ〜８ｍがよい。
【００２０】
又、ガス導入ライン２０の中途部には、受入ライン４内に導入する気化ガスの流量を調節するガス流量調整弁２４を備え、ガス導入ライン２０におけるガス流量調整弁２４の上流側にはガス流量調整弁２４を制御するフローコントローラ２５を備えている。
【００２１】
更に、ローディングアーム３から二系統配管７までの間の一系統配管６には、二系統配管７のうち一方の配管７ａに備えられた排出ライン２２と略同様に、受入ライン４内のガスを排出するよう排出調整弁２６を備えた排出ライン２７を設け、排出ライン２７には、低沸点液の液面の高さより排出調整弁２６を制御するレベルコントローラ２８を備えている。
【００２２】
一方、受入ライン４の二系統配管７のどちらか一方（図１では配管７ａ）には、循環ポンプ１７を備えた循環ライン１８を設けることなく、送出ライン１５における送出ポンプ１４と気化器１６の間の所定位置より分岐して延在する液導入ライン２９を接続し、液導入ライン２９の中途部には、受入ライン４内に低沸点液の液量を調節する液量調整弁３０を備え、液量調整弁３０は、二系統配管７から低温タンク１までの間における一系統配管９の開閉弁８近傍に備えられたレベルコントローラ３１により制御されている。
【００２３】
以下、本発明の実施の形態例の作用を説明する。
【００２４】
低温タンク１へ低沸点液を供給しない場合には、ローディングアーム３と二系統配管７の間における一系統配管６の供給用の開閉弁５と、二系統配管７と低温タンク１の間における下方ライン１３の開閉弁１２とを夫々閉じると共に、二系統配管７の供給用の開閉弁１１ａ，１１ｂを夫々開き、更にガス導入ライン２０から段差部１０の下端に気化ガスを導入する。
【００２５】
この時、受入ラインの段差部１０に導入する気化ガスの流速は、フローコントローラ２５により計測され、所定の流量になるようガス流量調整弁２４により調整されている。
【００２６】
次いで段差部１０の下端に気化ガスが導入されると、気化ガスは段差部１０を上昇することにより気化ガスのガスリフト作用で二系統配管７内の低沸点液を循環させ、熱流体上の不安定現象（ガイザリング現象）による受入ライン４内の低沸点液の突沸を防止する。
【００２７】
ここで、受入ライン４において一般的な配管の長さ及び配管径を備えている場合には、経験的に低沸点液を２時間〜７時間で循環させることが好ましい。
【００２８】
ローディングアーム３と二系統配管７の間の一系統配管６、及び二系統配管７と低温タンク１の間の一系統配管９及び下方ライン１３においては、夫々の内部の低沸点液が、二系統配管７内で互いに循環する低沸点液によって徐々に置換され、熱流体上の不安定現象（ガイザリング現象）による低沸点液の突沸を防止している。
【００２９】
更に、受入ライン４に気化ガスが溜まった際には、レベルコントローラ２３，２８によって低沸点液の液面位置を測定することにより、排出調整弁２１，２６を介して排出ライン２２，２７より外部へ排出している。又、受入ライン４の低沸点液の液量が気化等により減少した際には、レベルコントローラ３１によって低沸点液の液面位置を測定することより低沸点液の減少量分を計測し、液量調整弁３０を介して液導入ライン２９より減少量分の低沸点液を充填している。
【００３０】
このように、ガス導入ライン２０より導入する気化ガスを動力源として二系統配管７内の低沸点液を循環させるので、動力源の循環ポンプ１７を設ける必要がなく設備全体の建設費、維持費を低減することができる。
【００３１】
ガス導入ライン２０を受入ライン４の中で最も高低差のある段差部１０の下端に接続すると、導入した気化ガスによるガスリフト作用を一層高めるので、低沸点液を二系統の受入ライン４内で確実に循環させることができる。
【００３２】
なお、本発明の低温タンク設備は、上述の実施の形態例に限定されるものではなく、気化ガスは他のラインで生じたものを用いてもよいこと、その他本発明の要旨を逸脱しない範囲内において種々変更を加え得ることは勿論である。
【００３３】
【発明の効果】
本発明の低温タンク設備によれば、下記の如き種々の優れた効果を奏し得る。
【００３４】
Ｉ）ガス導入ラインより導入する気化ガスを動力源として二系統の受入ライン内の低沸点液を循環させるので、動力源の循環ポンプを設ける必要がなく設備全体の建設費、維持費を低減することができる。
【００３５】
ＩＩ）ガス導入ラインを受入ラインの中で最も高低差のある段差部の下端に接続すると、導入した気化ガスによるガスリフト作用を一層高めるので、低沸点液を二系統の受入ライン内で確実に循環させることができる。
【図面の簡単な説明】
【図１】本発明の低温タンク設備の実施の形態の一例を示す全体系統図である。
【図２】低沸点液に気化ガスを導入するよう段差部に導入配管を接続した状態を示す概略図である。
【図３】従来の低温タンク設備を示す全体系統図である。
【符号の説明】
１    低温タンク
２    タンカー（供給源）
４    受入ライン
５    供給用の開閉弁（開閉弁）
７    二系統配管（二系統の流路）
８    供給用の開閉弁（開閉弁）
１０    段差部
１１    供給用の開閉弁（開閉弁）
１５    送出ライン
２０    ガス導入ライン
【図１】
0004581243.tif 000002
【図２】
0004581243.tif 000003
【図３】
0004581243.tif 000004